(57)【要約】【課題】第三者の操作による、ユーザが意図しない電子機器の動作を防止する。【解決手段】  マイコン部１７では、映像機器１の状態を、リモコン２の操作を無効にするキーロック状態に設定するための設定画面に対する入力に応じて映像機器１の状態がキーロック状態に設定される。キーロック状態では、キーロック状態を解除する解除操作を含む所定の操作以外の操作手段の操作が無効となる。また、マイコン部１７では、キーロック状態を解除するための解除画面に対する入力に応じてキーロック状態が解除される。本発明は、例えばテレビジョン受信機を含む映像機器などに適用できる。【選択図】図１
2006217240.tif 000002
【特許請求の範囲】
【請求項１】
ユーザによって操作される操作手段の操作に応じて処理を行う電子機器において、
前記電子機器の状態を、前記操作手段の操作を無効にするキーロック状態に設定するための設定画面の表示と、キーロック状態を解除するための解除画面の表示とを制御する表示制御手段と、
前記設定画面に対する入力に応じて、前記電子機器の状態をキーロック状態に設定するキーロック設定手段と、
前記解除画面に対する入力に応じて、キーロック状態を解除するキーロック解除手段とを備え、
前記キーロック状態では、前記キーロック状態を解除する解除操作を含む所定の操作以外の前記操作手段の操作を無効にする
ことを特徴とする電子機器。
【請求項２】
キーロック状態が設定されてからキーロック状態が解除されるまでの時間である解除時間を設定するタイマ設定手段と、
キーロック状態が設定されてから前記解除時間が経過した場合に、キーロック状態を解除するキーロック状態解除手段と
をさらに備えることを特徴とする請求項１に記載の電子機器。
【請求項３】
前記操作手段は、前記電子機器を遠隔操作するリモートコマンダと、前記電子機器に備えられた操作部であり、
前記キーロック設定手段は、前記電子機器の状態を、前記リモートコマンダの操作を無効にするキーロック状態、または前記操作部の操作を無効にするキーロック状態に設定する
ことを特徴とする請求項１に記載の電子機器。
【請求項４】
前記設定画面または解除画面は、画像を表示する表示手段の表示画面の周辺部に表示される
ことを特徴とする請求項１に記載の電子機器。
【請求項５】
ユーザによって操作される操作手段の操作に応じて処理を行う電子機器の制御方法において、
前記電子機器の状態を、前記操作手段の操作を無効にするキーロック状態に設定するための設定画面の表示を制御する第１の制御ステップと、
キーロック状態を解除するための解除画面の表示を制御する第２の制御ステップと、
前記設定画面に対する入力に応じて、前記電子機器の状態をキーロック状態に設定するキーロック設定ステップと、
前記解除画面に対する入力に応じて、キーロック状態を解除するキーロック解除ステップとを含み、
前記キーロック状態では、前記キーロック状態を解除する解除操作を含む所定の操作以外の前記操作手段の操作を無効にする
ことを特徴とする電子機器の制御方法。
【請求項６】
ユーザによって操作される操作手段の操作に応じて処理を行う電子機器を制御するコンピュータに実行させるプログラムにおいて、
前記電子機器の状態を、前記操作手段の操作を無効にするキーロック状態に設定するための設定画面の表示を制御する第１の制御ステップと、
キーロック状態を解除するための解除画面の表示を制御する第２の制御ステップと、
前記設定画面に対する入力に応じて、前記電子機器の状態をキーロック状態に設定するキーロック設定ステップと、
前記解除画面に対する入力に応じて、キーロック状態を解除するキーロック解除ステップとを含み、
前記キーロック状態では、前記キーロック状態を解除する解除操作を含む所定の操作以外の前記操作手段の操作を無効にする
ことを特徴とするプログラム。
【発明の詳細な説明】
【技術分野】
【０００１】
本発明は、電子機器、電子機器の制御方法、およびプログラムに関し、特に、第三者の操作による、ユーザが意図しない電子機器の動作を防止することを可能とした電子機器、電子機器の制御方法、およびプログラムに関する。
【背景技術】
【０００２】
近年、多くの電子機器は、リモコン（リモートコマンダ）によって遠隔操作することができるようになっている。
【０００３】
例えば、特許文献１には、ユーザによって電子機器のリモコンの電源キーが操作され、電源オフ（操作指示）が入力されたときに、その入力から所定時間以内に、リモコンのいずれかのキーが操作されたか否かを判定することによる誤操作防止方法が記載されている。この誤操作防止方法によれば、所定時間以内に、操作部のいずれかのキーが操作された場合、電源オフの入力は誤操作であると判定され、電源はオフされない。
【０００４】
また、特許文献２には、ユーザによって電子機器のリモコンの特定のキーが所定時間以内に連続して操作された場合に、その操作による操作指示に基づいて動作するように設定することによる誤操作防止方法が記載されている。この誤操作防止方法によれば、所定時間以内に、特定のキーが連続して操作されなかった場合、その特定のキーの操作は誤操作であると判定され、その特定のキーの操作による操作指示に基づく動作は行われない。
【特許文献１】特開平８−２０２４７５号公報
【特許文献２】特開２００２−３４５０５９号公報
【発明の開示】
【発明が解決しようとする課題】
【０００５】
ところで、一般に、ユーザが電子機器のリモコンを操作すると、その操作に応じた操作指示（信号）が電子機器に入力され、電子機器は、その操作指示に応じた処理を行う（動作する）。従って、リモコンから電子機器に入力された操作指示が、ユーザが意図しない操作指示である場合であっても、その操作指示に基づいて電子機器は動作してしまう。即ち、ユーザにとって意図しない「誤操作」がされた場合であっても、リモコンの操作としては正常な操作であれば、電子機器は、その操作に応じて動作する。
【０００６】
例えば、電子機器がテレビ（テレビジョン受信機）などの映像機器である場合において、ユーザ（主視聴者）がテレビの所定のチャンネルを視聴しているときに、ユーザ以外の第三者（例えば、未就学児童（例えば、ユーザの子供）等）が、ユーザの意図とは別にリモコンを操作し、これにより、チャンネルを替える操作指示がテレビに入力されると、この操作指示に基づいてテレビのチャンネルが、ユーザの意に反して替わってしまう。このような、ユーザが意図しないリモコンの操作（第三者の操作）は、リモコンの操作としては正常な操作ではあるが、ユーザにとっては、「誤操作」である。
【０００７】
上述の特許文献１および２に記載の誤操作防止方法では、ユーザにとって意図しない誤操作が行われた場合であっても、リモコンの操作としては正常な操作であれば、電子機器が、ユーザにとって意図しない誤操作に応じて動作してしまうので、かかる誤操作に応じた動作を防止することが困難であった。
【０００８】
即ち、特許文献１および２に記載の誤操作防止方法では、リモコンのキーが特定のパターンで操作された場合（または、特定のパターン以外の操作が行われた場合）に、その操作が誤操作であると判定されるので、誤操作と判定されない特定のパターンで、第三者がリモコンを操作した場合、その操作がユーザにとって誤操作に該当するものであっても、電子機器は、その操作に応じて動作する。つまり、第三者の操作（ユーザにとって誤操作に該当する操作）によって、電子機器が、ユーザが意図しない動作をしてしまう。
【０００９】
特許文献１および２に記載の誤操作防止方法では、このような第三者の操作によって、電子機器が、ユーザが意図しない動作をすることを防止することは困難であった。
【００１０】
本発明は、このような状況に鑑みてなされたものであり、第三者の操作による、ユーザが意図しない電子機器の動作を防止することを目的としている。
【課題を解決するための手段】
【００１１】
本発明の電子機器は、電子機器の状態を、操作手段の操作を無効にするキーロック状態に設定するための設定画面の表示と、キーロック状態を解除するための解除画面の表示とを制御する表示制御手段と、設定画面に対する入力に応じて、電子機器の状態をキーロック状態に設定するキーロック設定手段と、解除画面に対する入力に応じて、キーロック状態を解除するキーロック解除手段とを備え、キーロック状態では、キーロック状態を解除する解除操作を含む所定の操作以外の操作手段の操作を無効にすることを特徴とする。
【００１２】
この電子機器には、キーロック状態が設定されてからキーロック状態が解除されるまでの時間である解除時間を設定するタイマ設定手段と、キーロック状態が設定されてから解除時間が経過した場合に、キーロック状態を解除するキーロック状態解除手段とをさらに備えることができる。
【００１３】
本発明の電子機器の制御方法は、電子機器の状態を、操作手段の操作を無効にするキーロック状態に設定するための設定画面の表示を制御する第１の制御ステップと、キーロック状態を解除するための解除画面の表示を制御する第２の制御ステップと、設定画面に対する入力に応じて、電子機器の状態をキーロック状態に設定するキーロック設定ステップと、解除画面に対する入力に応じて、キーロック状態を解除するキーロック解除ステップとを含み、キーロック状態では、キーロック状態を解除する解除操作を含む所定の操作以外の操作手段の操作を無効にすることを特徴とする。
【００１４】
本発明のプログラムは、電子機器の状態を、操作手段の操作を無効にするキーロック状態に設定するための設定画面の表示を制御する第１の制御ステップと、キーロック状態を解除するための解除画面の表示を制御する第２の制御ステップと、設定画面に対する入力に応じて、電子機器の状態をキーロック状態に設定するキーロック設定ステップと、解除画面に対する入力に応じて、キーロック状態を解除するキーロック解除ステップとを含み、キーロック状態では、キーロック状態を解除する解除操作を含む所定の操作以外の操作手段の操作を無効にすることを特徴とする。
【００１５】
本発明の電子機器、電子機器の制御方法、およびプログラムにおいては、電子機器の状態を、操作手段の操作を無効にするキーロック状態に設定するための設定画面と、キーロック状態を解除するための解除画面とが表示される。そして、設定画面に対する入力に応じて電子機器の状態がキーロック状態に設定され、解除画面に対する入力に応じてキーロック状態が解除される。キーロック状態では、キーロック状態を解除する解除操作を含む所定の操作以外の操作手段の操作が無効となる。
【発明の効果】
【００１６】
本発明によれば、第三者の操作による、ユーザが意図しない電子機器の動作を防止することができる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１９】
請求項１に記載の電子機器（例えば、図１の映像機器１）は、電子機器の状態を、操作手段（例えば、図１のリモコン２または本体キー操作部１６）の操作を無効にするキーロック状態に設定するための設定画面（例えば、図３の有効／無効選択画面３１、図４のタイマ設定画面３２、または図５のパスワード設定画面３３）の表示と、キーロック状態を解除するための解除画面（例えば、図７のパスワード入力画面３５）の表示とを制御する表示制御手段（例えば、図１のスケーラ／OSD部１２）と、設定画面に対する入力に応じて、電子機器の状態をキーロック状態に設定するキーロック設定手段（例えば、図１１のステップＳ２５またはＳ２７の処理を行う図１のマイコン部１７）と、解除画面に対する入力に応じて、キーロック状態を解除するキーロック解除手段（例えば、図１２のステップＳ３３またはＳ３４の処理を行う図１のマイコン部１７）とを備え、キーロック状態では、キーロック状態を解除する解除操作を含む所定の操作以外の操作手段の操作を無効にすることを特徴とする。
【００２０】
請求項２に記載の電子機器は、キーロック状態が設定されてからキーロック状態が解除されるまでの時間である解除時間を設定するタイマ設定手段（例えば、図１１のステップＳ２１の処理を行う図１のマイコン部１７）と、キーロック状態が設定されてから解除時間が経過した場合に、キーロック状態を解除するキーロック状態解除手段（例えば、図１０のステップＳ１４およびＳ１５の処理を行う図１のマイコン部１７）とをさらに備えることを特徴とする。
【００２１】
請求項５に記載の電子機器の制御方法は、電子機器の状態を、操作手段の操作を無効にするキーロック状態に設定するための設定画面の表示を制御する第１の制御ステップ（例えば、図１１のステップＳ２１）と、キーロック状態を解除するための解除画面の表示を制御する第２の制御ステップ（例えば、図１３のステップＳ４４）と、設定画面に対する入力に応じて、電子機器の状態をキーロック状態に設定するキーロック設定ステップ（例えば、図１１のステップＳ２５またはＳ２７）と、解除画面に対する入力に応じて、キーロック状態を解除するキーロック解除ステップ（例えば、図１２のステップＳ３３またはＳ３４）とを含み、キーロック状態では、キーロック状態を解除する解除操作を含む所定の操作以外の操作手段の操作を無効にすることを特徴とする。
【００２２】
請求項６に記載のプログラムは、電子機器の状態を、操作手段の操作を無効にするキーロック状態に設定するための設定画面の表示を制御する第１の制御ステップ（例えば、図１１のステップＳ２１）と、キーロック状態を解除するための解除画面の表示を制御する第２の制御ステップ（例えば、図１３のステップＳ４４）と、設定画面に対する入力に応じて、電子機器の状態をキーロック状態に設定するキーロック設定ステップ（例えば、図１１のステップＳ２５またはＳ２７）と、解除画面に対する入力に応じて、キーロック状態を解除するキーロック解除ステップ（例えば、図１２のステップＳ３３またはＳ３４）とを含み、キーロック状態では、キーロック状態を解除する解除操作を含む所定の操作以外の操作手段の操作を無効にすることを特徴とする。
【００２３】
以下、本発明を適用した具体的な実施の形態について、図面を参照しながら詳細に説明する。
【００２４】
図１は、本発明を適用した映像機器システムの一実施の形態の構成例を示している。映像機器システムは、映像機器１とリモコン２とから構成される。
【００２５】
映像機器１は、例えば、テレビであり、映像入力部１０、入力処理部１１、スケーラ／OSD部１２、ディスプレイユニット１３、リモコン受信部１５、本体キー操作部１６、およびマイコン部１７から構成される。
【００２６】
リモコン２は、ユーザによって操作され、ユーザがリモコン２を操作すると、その操作に対応する操作指示（信号）が、例えば、赤外線で、リモコン受信部１５に送信される。
【００２７】
映像入力部１０は入力処理部１１に接続され、入力処理部１１はスケーラ／OSD（On Screen Display）部１２に接続されている。また、スケーラ／OSD部１２は、入力処理部１１の他、ディスプレイユニット１３およびマイコン部１７に接続されている。リモコン受信部１５および本体キー操作部１６は、マイコン部１７に接続されている。
【００２８】
映像入力部１０は、例えば、図示せぬテレビチューナがテレビ放送番組を受信することにより得られる映像Ｓや、図示せぬビデオデッキがビデオテープから再生した映像Ｓなどを、映像機器１に入力するための入力部である。映像入力部１０に入力された映像Ｓは、入力処理部１１に供給される。
【００２９】
入力処理部１１は、映像入力部１０から供給された映像Ｓに、Ａ／Ｄ（Analog/Digital）変換などの処理を施し、その処理結果としての映像をスケーラ／OSD部１２に出力する。
【００３０】
スケーラ／OSD部１２は、マイコン部１７の制御に従って、OSD表示する画像であるOSD画像を、ディスプレイユニット１３の表示画面３０（後述する図３乃至８）に対して適切なサイズとなるように調整し、入力処理部１１から供給された映像に重畳して、ディスプレイユニット１３に供給する。
【００３１】
ここで、OSD画像としては、例えば、ユーザに対する文字メッセージや、ユーザが各種の設定を行うためのメニュー画像（画面）などがある。OSD画像は、マイコン部１７が生成し、スケーラ／OSD部１２に供給する。
【００３２】
ディスプレイユニット１３は、例えば、CRT（cathode ray tube）やLCD（Liquid Crystal Display）などで構成され、スケーラ／OSD部１２から供給された映像を、その表示画面３０（後述する図３乃至８）に表示する。
【００３３】
リモコン受信部１５は、リモコン２から送信されてくる赤外線を受信（受光）し、電気信号に光電変換して、マイコン部１７に供給する。
【００３４】
本体キー操作部１６は、ユーザによって操作される複数のキー（図示せず）を備えており、ユーザが本体キー操作部１６のキーを操作すると、その操作に対応する操作指示が、本体キー操作部１６からマイコン部１７に供給される。
【００３５】
マイコン部１７は、例えば、CPU（Central Processing Unit）１７Ａ、タイマ部１７Ｂ、および記憶部１７Ｃを備えており、CPU１７Ａが、記憶部１７Ｃに記憶されているプログラムおよびデータ、並びにリモコン２または本体キー操作部１６の操作に対応する操作指示に応じて、各種の処理を実行する。
【００３６】
即ち、CPU１７Ａは、記憶部１７Ｃに記憶されたプログラムを実行することにより、映像機器１の各部を制御する。また、CPU１７Ａは、映像機器１の状態を、リモコン２や本体キー操作部１６の操作を無効にするキーロック状態に設定し、さらには、そのキーロック状態を解除する制御なども行う。
【００３７】
ここで、映像機器１がキーロック状態である場合には、リモコン２または本体キー操作部１６の操作に対応する操作指示のうちの、所定のキー以外のキーの操作に対応する操作指示がマイコン部１７に入力されても、マイコン部１７（CPU１７Ａ）が実行するプログラム（ソフトウエア）において、その操作指示に応じた処理が行われないように制限される。
【００３８】
次に、図２は、図１のリモコン２の一実施の形態の平面図を示している。
【００３９】
リモコン２は、電源キー２１、キーロック設定キー２２、キーロック解除キー２３、数字入力キー群２４、および方向指示キー群２５などの各種のキーを備えている。
【００４０】
電源キー２１は、映像機器１の電源をオン／オフするときに操作される。即ち、映像機器１の電源がオフのときに電源キー２１が操作されると、映像機器１の電源がオンにされ、映像機器１の電源がオンのときに電源キー２１が操作されると、映像機器１の電源がオフにされる。
【００４１】
キーロック設定キー２２は、映像機器１をキーロック状態にするときに操作される。
【００４２】
キーロック解除キー２３は、映像機器１のキーロック状態を解除するときに操作される。      
【００４３】
数字入力キー群２４は、例えば、映像機器１のチャンネルを変更するときや、後述するパスワードを入力するときなどに操作される。
【００４４】
方向指示キー群２５は、例えば、後述する図３に示されるディスプレイユニット１３の表示画面３０に表示される有効／無効選択画面３１などにおける項目を選択するときに操作される。
【００４５】
なお、本体キー操作部１６にも、リモコン２の電源キー２１、キーロック設定キー２２、キーロック解除キー２３、数字入力キー群２４、および方向指示キー群２５と同等の機能を有するキーが備えられている。
【００４６】
次に、図３乃至図８は、図１のディスプレイユニット１３の表示画面３０に表示されるOSD画像の例を示している。
【００４７】
図３は、映像機器１をキーロック状態に設定するときにディスプレイユニット１３の表示画面３０に表示されるOSD画像の一つである有効／無効選択画面３１の表示例を示している。有効／無効選択画面３１には、例えば、リモコン２のキーロック（リモコン２の操作を無効にすること）の有効または無効を選択する項目「リモコンキー：有効／無効」、および本体キー操作部１６のキーロック（本体キー操作部１６の操作を無効にすること）の有効または無効を選択する項目「本体キー：有効／無効」が表示される。
【００４８】
ユーザは、有効／無効選択画面３１の項目「リモコンキー：有効／無効」または「本体キー：有効／無効」のそれぞれについて、リモコン２の方向指示キー群２５を操作することで、リモコン２または本体キー操作部１６のキーロックの有効または無効を選択（入力）することができる。
【００４９】
図４は、映像機器１をキーロック状態に設定するときにディスプレイユニット１３の表示画面３０に表示されるOSD画像の他の一つであるタイマ設定画面３２の表示例を示している。タイマ設定画面３２には、例えば、キーロック状態が設定された後、そのキーロック状態を解除するまでの解除時間を選択する項目「３０分」、「６０分」、および「１２０分」が表示される。
【００５０】
ユーザは、リモコン２の方向指示キー群２５を操作し、タイマ設定画面３２の項目「３０分」、「６０分」、または「１２０分」のいずれかを選択（入力）することで、解除時間を設定することができる。なお、解除時間は、リモコン２の数字入力キー群２４等を操作して入力することができるようにしてもよい。
【００５１】
図５は、映像機器１をキーロック状態に設定するときにディスプレイユニット１３の表示画面３０に表示されるOSD画像のさらに他の一つであるパスワード設定画面３３の表示例を示している。パスワード設定画面３３には、例えば、４桁の数字によるパスワードを入力する入力欄「パスワード？＿ ＿ ＿ ＿」が表示される。
【００５２】
ユーザは、リモコン２の数字入力キー群２４を操作して４桁の数字を、パスワード設定画面３３に入力し、パスワードを設定することができる。また、設定されたパスワードは、ユーザがキーロック状態を解除しようとするときに入力されるパスワードとの照合が行われるときに参照される。
【００５３】
図６は、映像機器１がキーロック状態であるときにディスプレイユニット１３の表示画面３０に表示されるOSD画像の一つである警告表示画面３４の表示例を示している。警告表示画面３４には、例えば、キーロック状態中であることを表す文字メッセージ「キーロック中」、およびキーロック状態が解除されるまでの残り時間を表す文字メッセージ「タイマ残３０分」（例えば、残り時間が３０分である場合）が表示される。
【００５４】
図７は、キーロック状態を解除するときにディスプレイユニット１３の表示画面３０に表示されるOSD画像の一つであるパスワード入力画面３５の表示例を示している。パスワード入力画面３５には、例えば、４桁の数字によるパスワードを入力する入力欄「パスワード？＿ ＿ ＿ ＿」が表示される。
【００５５】
ユーザは、リモコン２の数字入力キー群２４を操作し、４桁の数字によるパスワードを、パスワード入力画面３５に入力することができる。また、パスワード入力画面３５に入力されたパスワードは、図５のパスワード設定画面３３で設定されたパスワードと照合され、パスワードの照合に成功すると（パスワードが一致すると）、キーロック状態が解除される。
【００５６】
図８は、パスワードの照合に成功しなかったときにディスプレイユニット１３の表示画面３０に表示されるOSD画像の一つであるエラーメッセージ画面３６の表示例を示している。エラーメッセージ画面３６には、図７のパスワード入力画面３５に入力されたパスワードが間違っていることを表す文字メッセージ「パスワードが間違っています」が表示される。
【００５７】
なお、図３乃至図５において、ディスプレイユニット１３の表示画面３０に表示される有効／無効選択画面３１、タイマ設定画面３２、およびパスワード設定画面３３は、例えば、ディスプレイユニット１３の表示画面３０よりも小さい大きさで、ディスプレイユニット１３の表示画面３０の周辺部のうちの左下付近に表示される。
【００５８】
また、図６乃至図８において、ディスプレイユニット１３の表示画面３０に表示される警告表示画面３４、パスワード入力画面３５、およびエラーメッセージ画面３６は、ユーザが表示画面３０に表示される映像を視聴する際に、その妨げとならない位置と大きさを考慮して表示され、例えば、ディスプレイユニット１３の表示画面３０よりも小さい大きさで、ディスプレイユニット１３の表示画面３０の周辺部のうちの右下隅付近に表示される。
【００５９】
次に、図１の映像機器１のマイコン部１７は、各種のタスク処理を時分割で行うが、そのタスク処理の一つに、映像機器１がキーロック状態にあるかどうかを判別（判定）し、その判別結果に基づいて処理を行うキーロック判別処理がある。キーロック判別処理は、例えば、周期的に行われるが、このようにキーロック判別処理を周期的に行うために、マイコン部１７が行う処理について、図９のフローチャートを参照して説明する。
【００６０】
映像機器１の電源がオンにされると、ステップＳ１において、マイコン部１７は、ＯＳ（Operating System）を起動し、所定の初期化処理を行う。マイコン部１７は、ＯＳに基づいて、各種のタスク処理を時分割で行うための時間管理を行い、これにより、周期的に各種のタスク処理を実行する順番であるか否かを判定し、実行する順番であると判定されたタスク処理を実行する。
【００６１】
即ち、ステップＳ１の処理後は、ステップＳ２に進み、マイコン部１７は、キーロック判別処理を行う順番であるか否かを判定する。ステップＳ２において、キーロック判別処理を行う順番でないと判定された場合、マイコン部１７は、ステップＳ３をスキップして、ステップＳ４に進む。
【００６２】
また、ステップＳ２において、キーロック判別処理を行う順番であると判定された場合、ステップＳ３に進み、マイコン部１７は、キーロック判別処理を行う。キーロック判別処理の詳細は、図１０を参照して後述する。
【００６３】
ステップＳ３の処理後、ステップＳ４に進み、マイコン部１７は、例えば、リモコン２の電源キー２１が操作されて、電源のオフの操作指示が入力されたか否かを判定し、電源のオフの操作指示が入力されたと判定した場合、映像機器１の電源をオフにし、処理を終了する。
【００６４】
なお、ここでは、ステップＳ３のキーロック判別処理の後に、ステップＳ４において、電源のオフの操作指示が入力されたかどうかを判定し、その操作指示が入力されたと判定された場合には、電源をオフにする。即ち、キーロック状態であるかどうかに関わらず、電源のオフを可能とするようにしたが、映像機器１がキーロック状態となっている場合には、リモコン２の電源キー２１が操作され、対応する操作指示がマイコン部１７に入力されても、マイコン部１７は、その操作指示を無効として処理し、電源をオフにしないで、ステップＳ２から処理を繰り返すようにすることができる。
【００６５】
一方、ステップＳ４において、電源のオフの操作指示が入力されていないと判定した場合、ステップＳ５に進み、マイコン部１７は、所定の待ち時間だけ待機し、ステップＳ２に戻る。このように、マイコン部１７は、ステップＳ５において所定の待ち時間だけ待機することにより、周期的に、キーロック判別処理を行う順番であるか否かを判定する。
【００６６】
次に、図１０は、図９のステップＳ３でマイコン部１７が行うキーロック判別処理を説明するフローチャートである。
【００６７】
ステップＳ１１において、マイコン部１７は、映像機器１がキーロック状態であるか否かを判定する。即ち、マイコン部１７の記憶部１７Ｃには、映像機器１がキーロック状態であるか否かを表す映像機器キーフラグが記憶されており、マイコン部１７は、その映像機器キーフラグがキーロック状態である旨を表す、例えば、１にセットされているか否かを判定する。なお、映像機器キーフラグには、キーロック状態でない旨を表す０、またはキーロック状態である旨を表す１のうちいずれか一方がセットされるが、映像機器１の電源がオンにされたときには、０がセットされる。
【００６８】
ステップＳ１１において、映像機器１がキーロック状態でないと判定された場合、ステップＳ１２に進み、マイコン部１７は、ユーザが映像機器１をキーロック状態に設定することを要求しているか否か、即ち、キーロック設定キー２２の操作に対応する操作指示の入力があったか否かを判定する。
【００６９】
ステップＳ１２において、ユーザが映像機器１をキーロック状態に設定することを要求していないと判定された場合、キーロック判別処理は終了する。一方、ステップＳ１２において、ユーザが映像機器１をキーロック状態に設定することを要求していると判定された場合、ステップＳ１３に進み、マイコン部１７は、映像機器１をキーロック状態とするキーロック設定処理を行い、キーロック判別処理は終了する。キーロック設定処理の詳細については、図１１を参照して後述する。
【００７０】
また、ステップＳ１１において、映像機器１がキーロック状態であると判定された場合、ステップＳ１４に進む。即ち、ステップＳ１４以下の処理は、映像機器１がキーロック状態である場合に行われる。
【００７１】
ステップＳ１４において、マイコン部１７は、キーロック状態を解除する解除時間が経過したか否かを判定する。即ち、マイコン部１７は、後述する図１１のキーロック設定処理において、映像機器１をキーロック状態に設定するときに、そのキーロック状態を解除する解除時間を設定するが、ステップＳ１４では、この解除時間が経過したか否かが判定される。
【００７２】
ステップＳ１４において、解除時間が経過したと判定された場合、ステップＳ１５に進み、マイコン部１７は、キーロック状態解除処理を行い、キーロック判別処理は終了する。キーロック状態解除処理の詳細については、図１２を参照して後述する。
【００７３】
一方、ステップＳ１４において、解除時間が経過していないと判定された場合、ステップＳ１６に進み、マイコン部１７は、キーロック状態処理を行い、キーロック判別処理は終了する。キーロック状態処理の詳細については、図１３を参照して後述する。
【００７４】
次に、図１１は、図１０のステップＳ１３でマイコン部１７が行うキーロック設定処理を説明するフローチャートである。
【００７５】
ステップＳ２１において、マイコン部１７は、キーロック設定の入力処理を行う。即ち、マイコン部１７は、映像機器１の状態をキーロック状態に設定するための情報の入力をユーザに促し、その情報の入力があった場合には、その情報を受け付けて、記憶部１７Ｃに一時的に記憶する。
【００７６】
具体的には、マイコン部１７は、スケーラ／OSD部１２を制御することにより、映像機器１の状態をキーロック状態に設定するための設定画面の一つとしての、上述の図３の有効／無効選択画面３１をディスプレイユニット１３の表示画面３０に表示させる。そして、ユーザが、リモコン２または本体キー操作部１６を操作することにより、有効／無効選択画面３１に対してリモコン２のキーロックの有効または無効を入力（選択）し、また、本体キー操作部１６のキーロックの有効または無効を入力（選択）すると、マイコン部１７は、有効／無効選択画面３１に入力された情報を、記憶部１７Ｃに記憶させる。
【００７７】
その後、マイコン部１７は、さらに、スケーラ／OSD部１２を制御することにより、設定画面の他の一つとしての、上述の図４のタイマ設定画面３２をディスプレイユニット１３の表示画面３０に表示させる。そして、ユーザが、リモコン２または本体キー操作部１６を操作することにより、タイマ設定画面３２に対して解除時間を入力すると、マイコン部１７は、タイマ設定画面３２に入力された解除時間を、記憶部１７Ｃに記憶させる（解除時間を設定する）。
【００７８】
さらにその後、マイコン部１７は、スケーラ／OSD部１２を制御することにより、設定画面のさらに他の一つとしての上述の図５のパスワード設定画面３３をディスプレイユニット１３の表示画面３０に表示させる。そして、ユーザが、リモコン２または本体キー操作部１６を操作することにより、パスワード設定画面３３に対してパスワードを入力すると、マイコン部１７は、パスワード設定画面３３に入力されたパスワードを、記憶部１７Ｃに記憶させる。
【００７９】
ステップＳ２１の処理が終了した後、ステップＳ２２に進み、マイコン部１７は、ステップＳ２１のキーロック設定の入力処理で、リモコン２または本体キー操作部１６のいずれかのキーロックが有効である旨の情報が、記憶部１７Ｃに記憶されていれば、マイコン部１７のタイマ部１７Ｂが計時する時刻を所定の初期値としての、例えば、０に初期化し、解除時間の計時を開始させて、ステップＳ２３に進む。
【００８０】
ステップＳ２３において、マイコン部１７は、ステップＳ２１のキーロック設定の入力処理で、リモコン２または本体キー操作部１６のいずれかのキーロックが有効である旨の情報が、記憶部１７Ｃに記憶されていれば、マイコン部１７の記憶部１７Ｃの映像機器キーフラグをキーロック状態である旨を表す１にセットする。
【００８１】
ステップＳ２３の処理後、ステップＳ２４に進み、マイコン部１７は、ステップＳ２１のキーロック設定の入力処理で、リモコン２のキーロックが有効である旨の情報が記憶部１７Ｃに記憶されているか否かを判定する。
【００８２】
ステップＳ２４において、リモコン２のキーロックが有効である旨の情報が記憶部１７Ｃに記憶されていると判定された場合、ステップＳ２５に進み、マイコン部１７は、その情報を削除して、映像機器１の状態を、リモコン２の所定のキー以外のキーの操作を無効にするキーロック状態とする設定であるリモコンキーロック設定を行う。即ち、マイコン部１７は、リモコン２の電源キー２１およびキーロック解除キー２３以外のキー操作によるイベントは、ソフトウエア内部にて無効となるようにするイベント無効化処理を行う。
【００８３】
このイベント無効化処理では、例えば、マイコン部１７の記憶部１７Ｃに記憶されたリモコンキーフラグが、リモコン２のキーロックが有効である旨を表す、例えば、１にセットされる。ここで、リモコンキーフラグは、リモコン２のキーロックの有効／無効を表す１ビットのフラグで、記憶部１７Ｃに記憶されている。なお、リモコンキーフラグは、映像機器１の電源がオンにされた直後に行われる図９のステップＳ１において、リモコン２のキーロックが無効であることを表す、例えば、０にセットされるようになっている。
【００８４】
一方、ステップＳ２４において、リモコン２のキーロックが有効である旨の情報が記憶部１７Ｃに記憶されていないと判定された場合、ステップＳ２５をスキップして、ステップＳ２６に進み、マイコン部１７は、ステップＳ２１のキーロック設定の入力処理で、本体キー操作部１６のキーロックが有効である旨の情報が記憶部１７Ｃに記憶されているか否かを判定する。
【００８５】
ステップＳ２６において、本体キー操作部１６のキーロックが有効である旨の情報が記憶部１７Ｃに記憶されていると判定された場合、ステップＳ２７に進み、マイコン部１７は、その情報を削除して、映像機器１の状態を、本体キー操作部１６の所定のキー以外のキーの操作を無効にするキーロック状態とする設定である本体キーロック設定を行い、キーロック設定処理は終了する。
【００８６】
これにより、ステップＳ２５で説明したイベント無効化処理と同様に、マイコン部１７の記憶部１７Ｃに記憶された本体キーフラグが、本体キー操作部１６のキーロックが有効である旨を表す、例えば、１にセットされる。ここで、本体キーフラグは、本体キー操作部１６のキーロックの有効／無効を表す１ビットのフラグで、記憶部１７Ｃに記憶されている。なお、本体キーフラグは、映像機器１の電源がオンにされた直後に行われる図９のステップＳ１において、本体キー操作部１６のキーロックが無効であることを表す、例えば、０にセットされるようになっている。
【００８７】
一方、ステップＳ２６において、本体キー操作部１６のキーロックが有効である旨の情報が記憶部１７Ｃに記憶されていないと判定された場合、ステップＳ２７をスキップして、キーロック設定処理は終了する。
【００８８】
次に、図１２は、図１０のステップＳ１５でマイコン部１７が行うキーロック状態解除処理を説明するフローチャートである。
【００８９】
ステップＳ３１において、マイコン部１７は、タイマ部１７Ｂによる計時を停止させ、さらに、タイマ部１７Ｂが計時する時刻を所定の初期値に初期化して、ステップＳ３２に進む。
【００９０】
ステップＳ３２において、マイコン部１７は、マイコン部１７の記憶部１７Ｃの映像機器キーフラグをキーロック状態でない旨を表す０にセットし、ステップＳ３３に進む。
【００９１】
ステップＳ３３において、マイコン部１７は、リモコン２についてのキーロック状態を解除する処理を行う。即ち、リモコン２のすべてのキーの操作によるイベントを、ソフトウエア内部にて有効とするようにするイベント有効化処理を行う。このイベント有効化処理では、例えば、記憶部１７Ｃに記憶されたリモコンキーフラグが、リモコン２のキーロックが無効である旨を表す０にセットされる。
【００９２】
ステップＳ３３の処理後、ステップＳ３４に進み、マイコン部１７は、ステップＳ３３で説明したリモコン２についてのイベント有効化処理と同様に、本体キー操作部１６についてのイベント有効化処理を行い、例えば、記憶部１７Ｃに記憶された本体キーフラグが、本体キー操作部１６のキーロックが無効である旨を表す０にセットされる。
【００９３】
ステップＳ３４の処理後、キーロック状態解除処理は終了する。このように、映像機器キーフラグ、リモコンキーフラグ、および本体キーフラグのそれぞれが０にセットされることで、リモコン２および本体キー操作部１６の全てのキーの操作に対応する操作指示に基づいて、映像機器１は動作するようになる。
【００９４】
次に、図１３は、図１０のステップＳ１６でマイコン部１７が行うキーロック状態処理を説明するフローチャートである。
【００９５】
ステップＳ４１において、マイコン部１７は、キーロックが有効に設定されているリモコン２のいずれかのキー、またはキーロックが有効に設定されている本体キー操作部１６のいずれかのキーの操作に対応する操作指示の入力があったか否かを判定する。
【００９６】
ここで、本実施の形態では、映像機器１に操作指示を与える手段として、リモコン２と本体キー操作部１６との２つの操作手段がある。ステップＳ４１では、その２つの操作手段のうちの、キーロックが有効に設定されているもののキーの操作に対応する操作指示の入力がマイコン部１７に対してあったかどうかが判定される。なお、キーロックが無効に設定されている操作手段のキーの操作に対応する操作指示の入力がマイコン部１７に対してあった場合には、マイコン部１７は、その操作指示に応じた処理を行う。
【００９７】
ステップＳ４１において、キーロックが有効に設定されている操作手段の操作に対応する操作指示の入力が無いと判定された場合、キーロック状態処理は終了する。
【００９８】
一方、ステップＳ４１において、キーロックが有効に設定されている操作手段の操作に対応する操作指示の入力があったと判定された場合、ステップＳ４２に進み、マイコン部１７は、その操作指示が、キーロック状態の解除を指示するもの、即ち、リモコン２のキーロック解除キー２３、または本体キー操作部１６の、キーロック解除キー２３と同等のキーの操作（解除操作）に対応する操作指示であるか否かを判定する。
【００９９】
ステップＳ４２において、操作指示がキーロック状態の解除を指示するものでないと判定された場合、ステップＳ４３に進み、マイコン部１７は、キーロック状態警告表示の処理を行い、キーロック状態処理は終了する。即ち、マイコン部１７は、ディスプレイユニット１３の表示画面３０に、上述の図６の警告表示画面３４を表示し、映像機器１がキーロック状態である旨をユーザに伝達する。
【０１００】
さらに、マイコン部１７は、図１１のステップＳ２１で記憶部１７Ｃに記憶された解除時間、およびステップＳ２２で計時を開始したタイマ部１７Ｂの時刻を参照して、キーロック状態が解除されるまでの残り時間を計算し、その残り時間を、図６に示したように警告表示画面３４の中に表示する。
【０１０１】
この場合、マイコン部１７では、操作指示に応じた処理は行われない。
【０１０２】
一方、ステップＳ４２において、操作指示がキーロック状態の解除を指示するものであると判定された場合、ステップＳ４４に進み、マイコン部１７は、パスワード入力の処理を行う。即ち、マイコン部１７は、スケーラ／OSD部１２を制御することにより、ディスプレイユニット１３の表示画面３０に、キーロック状態を解除するための解除画面の一つとしての、上述の図７のパスワード入力画面３５を表示させ、ユーザにパスワードの入力を要求する。
【０１０３】
ユーザが、リモコン２などを操作することによりパスワードを、パスワード入力画面３５に入力すると、ステップＳ４５に進み、マイコン部１７は、パスワード入力画面３５に入力されたパスワードが正しいか否かを判定する。即ち、マイコン部１７は、図１１のステップＳ２１で記憶部１７Ｃに記憶されたパスワードと、パスワード入力画面３５に入力されたパスワードとを照合し、パスワードの照合が成功したか否か、即ち、これらの２つのパスワードが一致するか否かを判定する。
【０１０４】
ステップＳ４５において、ステップＳ４４で入力されたパスワードが正しいと判定された場合、ステップＳ４６に進み、マイコン部１７は、キーロック状態解除処理を行う。即ち、マイコン部１７は、ユーザがキーロック状態を解除することを要求しているとして、上述のキーロック状態解除処理（図１２）を行い、キーロック状態を解除する。ステップＳ４６の処理後、キーロック状態処理は終了する。
【０１０５】
一方、ステップＳ４５において、ステップＳ４４で入力されたパスワードが正しくないと判定された場合、即ち、ユーザがパスワード入力画面３５に入力したパスワードが間違っていた場合、ステップＳ４７に進み、マイコン部１７は、パスワード入力エラーメッセージ表示の処理を行う。即ち、マイコン部１７は、スケーラ／OSD部１２を制御することにより、ディスプレイユニット１３の表示画面３０に、上述の図８のエラーメッセージ画面３６を表示させ、入力されたパスワードが間違っている旨をユーザに伝達する。ステップＳ４７の処理後、キーロック状態処理は終了する。
【０１０６】
以上のように、映像機器１がキーロック状態である場合には、マイコン部１７では、操作指示に応じた処理が行われないので、ユーザ以外の第三者によって、ユーザの意図とは別に、例えば、リモコン２の数字入力キー群２４が操作されて、その操作に対応する操作指示の入力があっても、その操作指示は無効とされ、ユーザが意図しない映像機器１の動作（処理）が行われることを防止することができる。つまり、ユーザが意図しない第三者による操作、即ち、ユーザにとっての誤操作に応じた処理が行われることを防止することができる。
【０１０７】
また、キーロック設定処理において解除時間を設定し、キーロック判別処理において解除時間が経過していればキーロック状態解除処理が行われるので、映像機器１が永続的にキーロック状態となることを防止することができる。これにより、例えば、操作に熟していないユーザがキーロック状態の解除を望んだ場合や、ユーザがキーロック状態を解除するためのパスワードを忘れた場合などに、長期に渡りキーロック状態が解除できなくなってしまうことを回避することができる。
【０１０８】
また、パスワードの照合に成功した場合にキーロック状態解除処理を行うことで、ユーザ以外の第三者がキーロック状態を容易に解除してしまい、ユーザが意図しない映像機器１の動作が行われることを防止することができる。
【０１０９】
また、例えば、警告表示画面３４や、パスワード入力画面３５、エラーメッセージ画面３６を、ユーザが表示画面３０に表示される映像を視聴する際に、その妨げとならない位置と大きさを考慮して表示するようにしたので、キーロック状態中にリモコン２などが操作されることにより警告表示画面３４が表示された場合に、その警告表示画面３４によって、ユーザの映像の視聴を妨げることを防止（低減）することができる。
【０１１０】
なお、本実施の形態においては、例えば、図１０のステップＳ１１において、映像機器キーフラグを参照して、映像機器１がキーロック状態であるか否かを判定しているが、リモコンキーフラグおよび本体キーフラグの両方を参照して、映像機器１がキーロック状態であるか否かを判定してもよい。即ち、リモコンキーフラグまたは本体キーフラグのいずれか一方でもキーロックが有効である旨を表す１にセットされていれば、映像機器１がキーロック状態であると判定することができる。この場合、映像機器キーフラグは不要となる。
【０１１１】
また、パスワード入力画面３５などの表示は、表示画面３０に表示される映像の視聴の妨げにならなければ、上述した位置やサイズ以外で表示してもよい。
【０１１２】
なお、キーロック解除キー２３は、キーロック状態を解除する機能のみを有したキーとしたが、例えば、キーロック設定キー２２や、映像機器１がキーロック状態でないときに他の機能を有するキーによって兼用することができる。
【０１１３】
また、本実施の形態においては、映像機器１がテレビである場合について説明したが、本発明は、テレビの他、ディスクレコーダやVTR（Video Tape Recorder）等の電子機器にも適用することができる。
【０１１４】
さらに、本実施の形態では、解除時間を設定するようにしたが、解除時間は、必ずしも設定する必要はない。解除時間を設定しない場合には、図１０のステップＳ１４およびステップＳ１５の処理が不要となる。
【０１１５】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【図面の簡単な説明】
【０１１６】
【図１】本発明を適用した映像機器システムの一実施の形態の構成例を示す図である。
【図２】図１のリモコン２の一実施の形態の平面図である。
【図３】有効／無効選択画面３１の表示例を示す図である。
【図４】タイマ設定画面３２の表示例を示す図である。
【図５】パスワード設定画面３３の表示例を示す図である。
【図６】警告表示画面３４の表示例を示す図である。
【図７】パスワード入力画面３５の表示例を示す図である。
【図８】エラーメッセージ画面３６の表示例を示す図である。
【図９】キーロック判別処理を周期的に行うために、マイコン部１７が行う処理を説明するフローチャートである。
【図１０】キーロック判別処理を説明するフローチャートである。
【図１１】キーロック設定処理を説明するフローチャートである。
【図１２】キーロック状態解除処理を説明するフローチャートである。
【図１３】キーロック状態処理を説明するフローチャートである。
【符号の説明】
【０１１７】
１  映像機器，  ２  リモコン，  １０  映像入力部，  １１  入力処理部，  １２  スケーラ／OSD部，  １３  ディスプレイユニット，  １５  リモコン受信部，  １６  本体キー操作部，  １７  マイコン部，  ２１  電源キー，  ２２  キーロック設定キー，  ２３  キーロック解除キー，  ２４  数字入力キー群，  ２５  方向指示キー群
【図１】
2006217240.tif 000003
【図２】
2006217240.tif 000004
【図３】
2006217240.tif 000005
【図４】
2006217240.tif 000006
【図５】
2006217240.tif 000007
【図６】
2006217240.tif 000008
【図７】
2006217240.tif 000009
【図８】
2006217240.tif 000010
【図９】
2006217240.tif 000011
【図１０】
2006217240.tif 000012
【図１１】
2006217240.tif 000013
【図１２】
2006217240.tif 000014
【図１３】
2006217240.tif 000015